(57)【要約】【課題】使用者が再生装置による再生を一時停止した際に、快適に室内を照明することができるプロジェクタの提供。【解決手段】プロジェクタ１は、装置本体３と、装置本体３を操作するリモコン４とを備える。装置本体３は、画像データを出力するＤＶＤ再生手段３２と、制御手段３８とを備える。制御手段３８は、ＤＶＤ再生手段３２による再生の一時停止または復帰の状態を検出する画像情報監視部３８１と、画像情報監視部３８１によりＤＶＤ再生手段３２による再生の一時停止が検出されたときに、ＤＶＤ再生手段３２から出力される画像データに基づく表示画像から切り替えて所定の切替画像を表示する切替画像表示部３８２と、リモコン４から出力される操作信号に基づいて、切替画像の輝度を設定する切替画像輝度設定部３８４とを備える。【選択図】図２
2008109609.tif 000002
【特許請求の範囲】
【請求項１】
光源と、光源から射出された光を、画像情報に応じて変調して光学像を形成する光変調装置と、形成された光学像を拡大投射して画像を表示する投射光学装置とを備えたプロジェクタであって、
当該プロジェクタを制御する制御手段と、
前記制御手段に所定の動作を実行させる操作信号を出力する操作手段とを備え、
前記制御手段は、
前記画像情報に基づく表示画像の一時停止または復帰の状態を検出する状態検出部と、
前記状態検出部により前記表示画像の一時停止が検出されたときに、当該表示画像から切り替えて所定の切替画像を表示する切替画像表示部と、
前記状態検出部により前記表示画像の復帰が検出されたときに、当該表示画像を復帰して表示する表示画像復帰部と、
前記操作手段から出力される操作信号に基づいて、前記切替画像の輝度を設定する切替画像輝度設定部とを備えることを特徴とするプロジェクタ。
【請求項２】
請求項１に記載のプロジェクタにおいて、
前記制御手段は、
前記操作手段から出力される操作信号に基づいて、前記切替画像表示部における表示画像から切替画像への切り替えに要する時間、及び前記表示画像復帰部における切替画像から表示画像への復帰に要する時間の少なくともいずれか一方を設定する変化時間設定部と、
前記切替画像表示部による表示画像から切替画像への切り替え、及び前記表示画像復帰部による切替画像から表示画像への復帰の少なくともいずれか一方のときに、前記変化時間設定部により設定される変化時間に基づいて段階的、または連続的に切替画像の輝度を変化させる輝度変化制御部とを備えることを特徴とするプロジェクタ。
【請求項３】
請求項２に記載のプロジェクタにおいて、
前記輝度変化制御部は、前記光変調装置の変調状態を制御することを特徴とするプロジェクタ。
【請求項４】
請求項２に記載のプロジェクタにおいて、
前記輝度変化制御部は、前記光源の光量を制御することを特徴とするプロジェクタ。
【請求項５】
請求項２に記載のプロジェクタにおいて、
当該プロジェクタは、前記光源から射出される光の光量を調整する光量調整手段を備え、
前記輝度変化制御部は、前記光量調整手段を制御することを特徴とするプロジェクタ。
【請求項６】
請求項１から請求項５のいずれかに記載のプロジェクタにおいて、
前記制御手段は、
前記操作手段から出力される操作信号に基づいて、前記切替画像の表示色を設定する切替画像表示色設定部を備えることを特徴とするプロジェクタ。
【請求項７】
請求項１から請求項６のいずれかに記載のプロジェクタにおいて、
前記状態検出部は、前記画像情報を監視することにより前記表示画像の一時停止または復帰の状態を検出することを特徴とするプロジェクタ。
【請求項８】
請求項１から請求項６のいずれかに記載のプロジェクタにおいて、
前記操作手段は、前記表示画像の一時停止または復帰を実行させる表示画像用操作信号を出力し、
前記状態検出部は、前記表示画像用操作信号を監視することにより前記表示画像の一時停止または復帰の状態を検出することを特徴とするプロジェクタ。
【発明の詳細な説明】
【技術分野】
【０００１】
本発明は、プロジェクタに関する。
【背景技術】
【０００２】
従来、ＤＶＤ（Digital Versatile Disc）等の記録媒体を再生する再生装置が一体化され、この再生装置から出力される画像情報に応じて光学像を形成して拡大投射する再生装置一体型プロジェクタが知られている（例えば、特許文献１参照）。
特許文献１に記載のプロジェクタでは、再生装置による再生が停止すると所定の案内画像が投射される。この案内画像は、所定の輝度で投射されるため、室内を照明することができる。
【０００３】
【特許文献１】特開２００５−９４４７５号公報
【発明の開示】
【発明が解決しようとする課題】
【０００４】
しかしながら、特許文献１に記載のプロジェクタでは、案内画像の輝度は予め定められており、さらに、室内を照明することができる所定の輝度で投射されるため、プロジェクタの使用者は、再生装置による再生を停止した際、室内が急激に明るくなる不快感を感じることがある。
【０００５】
本発明の目的は、使用者が再生装置による再生を一時停止した際に、快適に室内を照明することができるプロジェクタを提供することにある。
【課題を解決するための手段】
【０００６】
本発明のプロジェクタは、光源と、光源から射出された光を、画像情報に応じて変調して光学像を形成する光変調装置と、形成された光学像を拡大投射して画像を表示する投射光学装置とを備えたプロジェクタであって、当該プロジェクタを制御する制御手段と、前記制御手段に所定の動作を実行させる操作信号を出力する操作手段とを備え、前記制御手段は、前記画像情報に基づく表示画像の一時停止または復帰の状態を検出する状態検出部と、前記状態検出部により前記表示画像の一時停止が検出されたときに、当該表示画像から切り替えて所定の切替画像を表示する切替画像表示部と、前記状態検出部により前記表示画像の復帰が検出されたときに、当該表示画像を復帰して表示する表示画像復帰部と、前記操作手段から出力される操作信号に基づいて、前記切替画像の輝度を設定する切替画像輝度設定部とを備えることを特徴とする。
【０００７】
このような構成によれば、切替画像表示部は、状態検出部により表示画像の一時停止が検出されたときに、表示画像から切り替えて所定の切替画像を表示する。すなわち、再生装置一体型プロジェクタにおいては、再生装置による再生の一時停止が検出されたときに、再生装置から出力される画像情報に基づく表示画像から切り替えて所定の切替画像を表示する。また、表示画像復帰部は、状態検出部により表示画像の復帰が検出されたときに、表示画像を復帰して表示する。すなわち、再生装置一体型プロジェクタにおいては、再生装置による再生の復帰が検出されたときに、表示画像を復帰して表示する。ここで、切替画像輝度設定部は、操作手段から出力される操作信号に基づいて切替画像の輝度を設定するので、プロジェクタの使用者は、操作手段を操作することにより、切替画像の輝度を設定することができる。したがって、使用者は、例えば、切替画像の輝度を、表示画像の輝度に対して同程度の輝度に設定することにより、室内が急激に明るくなる、または暗くなる不快感を感じることがなく、快適に室内を照明することができる。
【０００８】
本発明では、前記制御手段は、前記操作手段から出力される操作信号に基づいて、前記切替画像表示部における表示画像から切替画像への切り替えに要する時間、及び前記表示画像復帰部における切替画像から表示画像への復帰に要する時間の少なくともいずれか一方を設定する変化時間設定部と、前記切替画像表示部による表示画像から切替画像への切り替え、及び前記表示画像復帰部による切替画像から表示画像への復帰の少なくともいずれか一方のときに、前記変化時間設定部により設定される変化時間に基づいて段階的、または連続的に切替画像の輝度を変化させる輝度変化制御部とを備えることが好ましい。
【０００９】
このような構成によれば、変化時間設定部は、操作手段から出力される操作信号に基づいて表示画像から切替画像への切り替えに要する時間（以下、切替変化時間とする）、及び切替画像から表示画像への復帰に要する時間（以下、復帰変化時間とする）を設定するので、プロジェクタの使用者は、操作手段を操作することにより、切替変化時間、及び復帰変化時間を設定することができる。そして、輝度変化制御部は、変化時間設定部により設定される各変化時間に基づいて段階的、または連続的に切替画像の輝度を変化させるので、使用者は、変化時間が経過する間に切替画像の輝度に慣れることができ、室内が急激に明るくなる、または暗くなる不快感を感じることがなく、快適に室内を照明することができる。
【００１０】
本発明では、前記輝度変化制御部は、前記光変調装置の変調状態を制御することを採用することができる。
このような構成によれば、輝度変化制御部は、切替画像の画像情報を変更して光変調装置の変調状態を制御することにより、投射光学装置から拡大投射される光の光量を制御して切替画像の輝度を変化させることができる。また、制御手段には、切替画像の画像情報を変更するプログラムを追加すればよいので、通常のプロジェクタにソフトウェアの変更を行うのみで本発明のプロジェクタを実現することができる。
【００１１】
本発明では、前記輝度変化制御部は、前記光源の光量を制御することを採用することができる。
このような構成によれば、輝度変化制御部は、光源の光量を制御することにより、投射光学装置から拡大投射される光の光量を制御して切替画像の輝度を変化させることができる。また、前述した光変調装置の変調状態を制御する場合のように、切替画像の画像情報を変更することがないので、制御手段にかかる演算負荷を軽減することができる。
【００１２】
本発明では、当該プロジェクタは、前記光源から射出される光の光量を調整する光量調整手段を備え、前記輝度変化制御部は、前記光量調整手段を制御することを採用することができる。
このような構成によれば、輝度変化制御部は、光量調整手段を制御することにより、投射光学装置から拡大投射される光の光量を制御して切替画像の輝度を変化させることができる。また、例えば、機械式などの高速応答性の高い光量調整手段を設けることにより、前述した光変調装置の変調状態を制御する場合や光源の光量を制御する場合と比較して高速に輝度を変化させることができる。
【００１３】
本発明では、前記制御手段は、前記操作手段から出力される操作信号に基づいて、前記切替画像の表示色を設定する切替画像表示色設定部を備えることが好ましい。
このような構成によれば、切替画像表示色設定部は、操作手段から出力される操作信号に基づいて切替画像の表示色を設定するので、プロジェクタの使用者は、操作手段を操作することにより、切替画像の表示色を設定することができる。したがって、使用者は、好みに応じて室内の照明色を設定することができる。
【００１４】
本発明では、前記状態検出部は、前記画像情報を監視することにより前記表示画像の一時停止または復帰の状態を検出することを採用することができる。
このような構成によれば、再生装置一体型プロジェクタはもとより、別体の再生装置が外部接続された場合においても、この別体の再生装置から出力される画像情報に基づく表示画像の一時停止または復帰の状態を検出することができる。したがって、別体の再生装置が外部接続された場合においても、切替画像表示部における表示画像から切替画像への切り替え、及び表示画像復帰部における切替画像から表示画像への復帰を行うことができる。
【００１５】
本発明では、前記操作手段は、前記表示画像の一時停止または復帰を実行させる表示画像用操作信号を出力し、前記状態検出部は、前記表示画像用操作信号を監視することにより前記表示画像の一時停止または復帰の状態を検出することを採用することができる。
このような構成によれば、状態検出部は、表示画像用操作信号を監視することにより表示画像の一時停止または復帰の状態を検出することができるので、再生装置一体型プロジェクタにおいては、状態検出部の構成を簡素化することができる。
【発明を実施するための最良の形態】
【００１６】
以下、本発明の実施形態を図面に基づいて説明する。
〔第１実施形態〕
図１は、プロジェクタ１の外観図である。
プロジェクタ１は、図１に示すように、光源から射出された光を画像情報に応じて変調して光学像を形成し、形成した光学像をスクリーン２に拡大投射して画像を表示するものであり、装置本体３と、この装置本体３を遠隔操作するリモコン（リモートコントローラ）４とを備える。また、プロジェクタ１は、装置本体３の背面にＤＶＤを再生するＤＶＤ再生手段３２が一体化され、このＤＶＤ再生手段３２から出力される画像情報に応じて変調して光学像を形成し、形成した光学像を拡大投射するＤＶＤ一体型プロジェクタである。
【００１７】
操作手段としてのリモコン４は、装置本体３の設定等を行うためのメニューキーや、ＤＶＤ再生手段３２の再生、停止、及び一時停止などの複数の操作キーを備え、使用者により操作キーが押下されると、押下された操作キーに応じた操作信号を赤外線により装置本体３に送信する。なお、リモコン４は、赤外線によって操作信号を送信するとしたが、電波によって操作信号を送信するように構成してもよい。
【００１８】
図２は、プロジェクタ１の機能ブロック図である。
装置本体３は、図２に示すように、リモコン４から送信される操作信号に基づいて操作されるものであり、操作信号検出手段３１と、ＤＶＤ再生手段３２と、画像処理手段３３と、駆動制御手段３４と、画像投射手段３６と、制御手段３８とを備える。
操作信号検出手段３１は、使用者によるリモコン４の操作を検出する手段であり、リモコン４により送信される操作信号を検出し、ＤＶＤ再生手段３２、または制御手段３８が読取可能な信号に変換して出力する。
なお、以下の説明においては、ＤＶＤ再生手段３２に再生、停止、及び一時停止などの所定の動作を実行させるための操作キーに応じた信号を特にＤＶＤ用操作信号（表示画像用操作信号）とする。
ＤＶＤ再生手段３２は、デコーダを備え、デジタルデータとして映像（画像ソース）と音声とを記録したＤＶＤから読み出される画像ソースに、その記録方式、例えば、ＭＰＥＧ２等に応じた復号処理を行ってフレーム単位の画像データ（画像情報）を生成して画像処理手段３３に出力する。また、ＤＶＤ再生手段３２は、操作信号検出手段３１により出力されるＤＶＤ用操作信号に応じて、再生、停止、及び一時停止などの所定の動作を実行する。
【００１９】
画像処理手段３３は、ＤＶＤ再生手段３２により入力される画像データに対して画像補正処理を行い、画像補正処理された画像データに基づいてＲＧＢの各色光に応じた画像信号を生成して駆動制御手段３４に出力する。
画像補正処理としては、例えば、プロジェクタとスクリーンとの配置関係に起因して生じる台形歪みを補正する台形補正（形状変換）や、プロジェクタの出力特性に応じた色補正であるγ補正やＶＴ−γ補正、液晶パネルの特性による輝度ムラや色ムラを補正する色ムラ補正、さらには、液晶パネルの各画素を駆動する際に駆動信号が近隣画素に影響して生じる色ムラ（ゴーストやクロストーク）を補正するゴースト補正やクロストーク補正などが例として挙げられる。
【００２０】
駆動制御手段３４は、画像処理手段３３により出力される画像信号、または制御手段３８から出力される制御信号に基づいて画像投射手段３６を駆動するものであり、光変調装置を駆動する光変調装置駆動部３４１と、光源を駆動する光源駆動部３４２とを備える。
【００２１】
画像投射手段３６は、図２、及び図３に示すように、光源部３６１を備え、光源ランプ（光源）３６２から射出される光は、リフレクタ３６３で平行光にされ、二枚のレンズアレイ３６４Ａ，３６４Ｂを通って色分離光学系３６５に進む。
色分離光学系３６５は、赤色光を反射して青色光および緑色光を通過させるダイクロイックミラー３６６と、緑色光を反射して青色光を通過させるダイクロイックミラー３６７とを備え、光を赤色光、緑色光、及び青色光に分離する。
【００２２】
そして、赤色光は反射ミラー３６５Ａに反射され、緑色光はダイクロイックミラー３６７に反射され、青色光は二枚の反射ミラー３６９，３７０を有するリレー光学系３６８に導かれ、電気光学装置３７１の赤色光用液晶パネル（光変調装置）３７２、緑色光用液晶パネル（光変調装置）３７３および青色光用液晶パネル（光変調装置）３７４にそれぞれ入射する。各色光は、各液晶パネル３７２〜３７４において、画像処理手段３３により出力される画像信号に応じた所定の変調を受けて、プリズム３７５で合成される。合成された光は投射光学系（投射光学装置）３７６から射出され、スクリーン２に拡大投射されて画像が表示される。
【００２３】
制御手段３８は、装置本体３を制御するものであり、図２に示すように、画像情報監視部３８１と、切替画像表示部３８２と、表示画像復帰部３８３と、切替画像輝度設定部３８４と、変化時間設定部３８５と、切替画像表示色設定部３８６と、光変調装置制御部３８７とを備える。
【００２４】
状態検出部としての画像情報監視部３８１は、ＤＶＤ再生手段３２から出力される画像データに基づいてスクリーン２に表示される画像（以下、表示画像とする）の一時停止または復帰の状態、すなわち、ＤＶＤ再生手段３２による再生の一時停止または復帰の状態を、画像処理手段３３に入力される画像データのフレーム間における差分を監視することにより検出する。すなわち、画像処理手段３３に入力される画像データにおいて、一定数のフレーム間で差分がないとき、すなわち、画像データが一定数のフレーム間で同じであるときにＤＶＤ再生手段３２による再生の一時停止として検出する。また、画像処理手段３３に入力される画像データにおいて、一定数のフレーム間で差分があるとき、すなわち、画像データが一定数のフレーム間で変化しているときにＤＶＤ再生手段３２による再生の復帰として検出する。
【００２５】
切替画像表示部３８２は、画像情報監視部３８１により表示画像の一時停止、すなわち、ＤＶＤ再生手段３２による再生の一時停止が検出されたときに、表示画像から切り替えて所定の切替画像を表示する。
表示画像復帰部３８３は、画像情報監視部３８１により表示画像の復帰、すなわち、ＤＶＤ再生手段３２による再生の復帰が検出されたときに、表示画像を復帰して表示する。
【００２６】
切替画像輝度設定部３８４は、リモコン４から出力される操作信号に基づいて、切替画像の輝度を設定する。
変化時間設定部３８５は、リモコン４から出力される操作信号に基づいて、切替変化時間、及び復帰変化時間を設定する。なお、本実施形態では、切替変化時間、及び復帰変化時間は、互いに同じ時間に設定される。
切替画像表示色設定部３８６は、リモコン４から出力される操作信号に基づいて、切替画像の表示色を設定する。
【００２７】
輝度変化制御部としての光変調装置制御部３８７は、切替画像表示部３８２による表示画像から切替画像への切り替え、及び表示画像復帰部３８３による切替画像から表示画像への復帰のときに、光変調装置駆動部３４１を介して各液晶パネル３７２〜３７４を制御することにより、変化時間設定部３８５により設定される変化時間に基づいて連続的に切替画像の輝度を変化させる。
【００２８】
次に、切替画像の輝度、変化時間、及び表示色の設定について図４、及び図５を参照して説明する。
プロジェクタ１の使用者がリモコン４の切替画像設定メニューキーを押下すると、リモコン４は、切替画像設定メニューキーに応じた操作信号を赤外線により装置本体３に送信する。操作信号検出手段３１は、リモコン４から送信される操作信号を検出し、制御手段３８に制御信号を送信する。制御手段３８は、操作信号検出手段３１により出力される制御信号を受信すると、図４に示すように、切替画像設定処理ＳＴ１〜ＳＴ５を実行する。
【００２９】
制御手段３８は、まず、切替画像設定メニューを表示する（ＳＴ１）。
切替画像設定メニューＭは、図５に示すように、メニュー画面の上から輝度設定スクロールバーＳＢ１、変化時間設定スクロールバーＳＢ２、表示色設定スクロールバーＳＢ３、ＯＫボタンＢ１、及びキャンセルボタンＢ２を備える。
輝度設定スクロールバーＳＢ１は、切替画像の輝度信号Ｙを変更するものであり、輝度信号Ｙを最小にした状態を０％、最大にした状態を１００％としている。
変化時間設定スクロールバーＳＢ２は、切替画像の変化時間を変更するものであり、変化時間は、０〜１００秒としている。
【００３０】
表示色設定スクロールバーＳＢ３は、青色差設定スクロールバーＳＢ３１と、赤色差設定スクロールバーＳＢ３２とを備える。
青色差設定スクロールバーＳＢ３１は、切替画像の青色差信号Ｃｂを変更するものであり、５０％を無信号として青色差信号Ｃｂを最小にした状態を０％、最大にした状態を１００％としている。
赤色差設定スクロールバーＳＢ３２は、切替画像の赤色差信号Ｃｒを変更するものであり、５０％を無信号として赤色差信号Ｃｒを最小にした状態を０％、最大にした状態を１００％としている。
ＯＫボタンＢ１、及びキャンセルボタンＢ２は、各設定スクロールバーＳＢ１〜ＳＢ３により変更される輝度、変化時間、及び表示色を設定するか否かを決定するものである。
【００３１】
各設定スクロールバーＳＢ１〜ＳＢ３のカーソルは、リモコン４を操作することにより移動される。また、ＯＫボタンＢ１、及びキャンセルボタンＢ２は、リモコン４を操作することにより押下される。
すなわち、プロジェクタ１の使用者は、リモコン４を操作することにより、各設定スクロールバーＳＢ１〜ＳＢ３のカーソルを移動させることができ、切替画像の輝度、変化時間、及び表示色を変更することができる。そして、プロジェクタ１の使用者は、リモコン４を操作することにより、ＯＫボタンＢ１、またはキャンセルボタンＢ２を押下することができ、各設定スクロールバーＳＢ１〜ＳＢ３により変更される切替画像の輝度、変化時間、及び表示色を設定するか否かを決定することができる。
【００３２】
制御手段３８は、ＯＫボタンＢ１が押下された場合には、図４に示すように、切替画像輝度設定部３８４、変化時間設定部３８５、及び切替画像表示色設定部３８６によりＳＴ３〜ＳＴ５が実行された後、切替画像設定メニューＭを閉じる（ＳＴ２）。
切替画像輝度設定部３８４は、ＳＢ１により設定される輝度を図示しない記憶手段に記憶させる（ＳＴ３）。
次に、変化時間設定部３８５は、ＳＢ２により設定される変化時間を図示しない記憶手段に記憶させる（ＳＴ４）。
そして、切替画像表示色設定部３８６は、ＳＢ３により設定される表示色を図示しない記憶手段に記憶させる（ＳＴ５）。
【００３３】
一方、制御手段３８は、キャンセルボタンＢ２が押下された場合には、各設定スクロールバーＳＢ１〜ＳＢ３により設定される輝度、変化時間、及び表示色は記憶手段に記憶させず切替画像設定メニューＭを閉じる（ＳＴ２）。
以上のように、制御手段３８は、切替画像の輝度、変化時間、及び表示色を設定する。
【００３４】
そして、制御手段３８は、切替画像輝度設定部３８４により設定される輝度、及び切替画像表示色設定部３８６により設定される表示色に基づいて切替画像の画像データを生成し、図示しない記憶手段に記憶する。なお、本実施形態においては、切替画像の画像データは、一様の輝度、及び表示色から形成されるパターンとし、輝度信号Ｙ、青色差信号Ｃｂ、及び赤色差信号Ｃｒに基づいてＲＧＢ表色系の画像データが生成される。制御手段３８により生成される切替画像の画像データは、切替画像を表示する際には、画像処理手段３３に入力され、表示画像と同様にスクリーン２に表示される。
【００３５】
次に、プロジェクタ１の動作について図６のフローチャートを参照して説明する。
まず、ＤＶＤ再生手段３２による再生が行われ、表示画像が表示されているものとする（ＳＴ１１）。
画像情報監視部３８１は、画像処理手段３３に入力される画像データのフレーム間における差分を監視し、表示画像の一時停止、すなわち、ＤＶＤ再生手段３２による再生の一時停止を検出する（ＳＴ１２）。
画像情報監視部３８１により表示画像の一時停止が検出されると、切替画像表示部３８２は、切替画像を表示する（ＳＴ１３）。この際、制御手段３８は、切替画像を表示する直前に表示されていた表示画像における全画素の平均輝度を算出して図示しない記憶手段に記憶させる。また、光変調装置制御部３８７は、光変調装置駆動部３４１を介して各液晶パネル３７２〜３７４を制御することにより、変化時間設定部３８５により設定される変化時間に基づいて連続的に切替画像の輝度を変化させる。
【００３６】
ここで、光変調装置制御部３８７による切替画像の輝度の変化について図７、及び図８を参照して説明する。
なお、本実施形態においては、切替画像設定メニューＭにおいて、青色差設定スクロールバーＳＢ３１、及び赤色差設定スクロールバーＳＢ３２は、無信号である各５０％に固定して設定されているものとし、使用者が輝度信号Ｙ、及び変化時間を設定した場合について説明する。
【００３７】
例えば、切替画像設定メニューＭにおいて、輝度を１００％、変化時間を０秒に設定している場合には、図７（Ａ）に示すように、光変調装置制御部３８７は、切替画像の輝度を１００％に変化させる。したがって、表示画像の輝度に対して高輝度の切替画像が表示されるので、使用者は、急激に明るくなる不快感を感じることがある。これに対して、例えば、切替画像設定メニューＭにおいて、輝度を７０％、変化時間を０秒に設定している場合には、図７（Ｂ）に示すように、光変調装置制御部３８７は、切替画像の輝度を７０％に変化させる。したがって、表示画像の輝度に対して同程度の輝度の切替画像が表示されるので、使用者は、室内が急激に明るくなる不快感を感じることがなく、快適に室内を照明することができる。
【００３８】
さらに、例えば、切替画像設定メニューＭにおいて、輝度を７０％、変化時間を１０秒に設定している場合には、図８（Ａ）に示すように、光変調装置制御部３８７は、まず、切替画像の輝度を０％に変化させる。そして、光変調装置制御部３８７は、１０秒間で切替画像の輝度が設定値の７０％に到達するように徐々に切替画像の輝度を変化させる。なお、変化時間を設定する場合においては、例えば、図８（Ｂ）に示すように、輝度を１００％に設定していた場合であっても、使用者は、変化時間が経過する間に、切替画像の輝度に慣れることができる。したがって、使用者の不快感を軽減することができるとともに、室内の照明として十分な輝度を得ることが可能である。
【００３９】
また、例えば、図８（Ｃ）に示すように、光変調装置制御部３８７は、まず、切替画像の輝度をＳＴ１３において記憶手段に記憶させた平均輝度に変化させる。そして、光変調装置制御部３８７は、１０秒間で切替画像の輝度が設定値の７０％に到達するように徐々に切替画像の輝度を変化させてもよい。このようにすれば、切替画像の輝度を０％に変化させる場合のように室内が一時的に暗くなってしまうこともなくなるため、使用者は、さらに快適に室内を照明することができる。
【００４０】
次に、画像情報監視部３８１は、図６に示すように、画像処理手段３３に入力される画像データのフレーム間における差分を監視し、表示画像の復帰、すなわち、ＤＶＤ再生手段３２による再生の復帰を検出する（ＳＴ１４）。
画像情報監視部３８１により表示画像の復帰が検出されると、光変調装置制御部３８７は、光変調装置駆動部３４１を介して各液晶パネル３７２〜３７４を制御することにより、変化時間設定部３８５により設定される変化時間に基づいて連続的に切替画像の輝度を変化させる。そして、表示画像復帰部３８３は、表示画像を表示する（ＳＴ１５）。
【００４１】
ここで、光変調装置制御部３８７による切替画像の輝度の変化について図９を参照して説明する。なお、図９（Ａ）は、図７（Ｂ）に続く図であり、図９（Ｂ）は、図８（Ｃ）に続く図である。
例えば、切替画像設定メニューＭにおいて、変化時間を０秒に設定している場合には、図９（Ａ）に示すように、表示画像復帰部３８３は、表示画像を表示する。なお、変化時間を０秒に設定しているので、光変調装置制御部３８７は、切替画像の輝度を変化させない。
【００４２】
また、例えば、切替画像設定メニューＭにおいて、変化時間を１０秒に設定している場合には、図９（Ｂ）に示すように、光変調装置制御部３８７は、１０秒間で切替画像の輝度が設定値のＳＴ１３において記憶手段に記憶させた平均輝度に到達するように徐々に切替画像の輝度を変化させる。そして、表示画像復帰部３８３は、表示画像を表示する。
【００４３】
本実施形態に係るプロジェクタ１によれば、次のような効果がある。
（１）プロジェクタ１の使用者は、リモコン４を操作することにより、切替画像の輝度を設定することができるので、例えば、切替画像の輝度を、表示画像の輝度に対して同程度の輝度に設定することにより、室内が急激に明るくなる、または暗くなる不快感を感じることがなく、快適に室内を照明することができる。
【００４４】
（２）プロジェクタ１の使用者は、リモコン４を操作することにより、切替変化時間、及び復帰変化時間を設定することができる。そして、光変調装置制御部３８７は、使用者により設定される各変化時間に基づいて連続的に切替画像の輝度を変化させるので、使用者は、変化時間が経過する間に切替画像の輝度に慣れることができ、室内が急激に明るくなる、または暗くなる不快感を感じることがなく、快適に室内を照明することができる。
【００４５】
（３）光変調装置制御部３８７は、切替画像の画像データを変更して各液晶パネル３７２〜３７４の変調状態を制御することにより、切替画像の輝度を変化させることができる。また、制御手段３８には、切替画像の画像データを変更するプログラムを追加すればよいので、通常のプロジェクタにソフトウェアの変更を行うのみで本発明のプロジェクタ１を実現することができる。
（４）プロジェクタ１の使用者は、リモコン４を操作することにより、切替画像の表示色を設定することができる。したがって、使用者は、好みに応じて室内の照明色を設定することができる。
【００４６】
（５）画像情報監視部３８１は、画像処理手段３３に入力される画像データのフレーム間における差分を監視することにより表示画像の一時停止または復帰の状態を検出することができるので、プロジェクタ１にＤＶＤ再生手段３２とは異なる別体の再生装置が画像ケーブルなどを介して外部接続された場合においても、この再生装置から出力される画像データに基づく表示画像の一時停止または復帰の状態を検出することができる。したがって、別体の再生装置が外部接続された場合においても、切替画像表示部３８２における表示画像から切替画像への切り替え、及び表示画像復帰部３８３における切替画像から表示画像への復帰を行うことができる。
【００４７】
〔第２実施形態〕
本発明の第２実施形態に係るプロジェクタ１Ａについて説明する。
なお、以下の説明では、既に説明した部分については、同一符号を付してその説明を省略する。
前記第１実施形態に係るプロジェクタ１では、輝度変化制御部として、光変調装置制御部３８７を採用していた。
これに対して、本実施形態に係るプロジェクタ１Ａでは、図１０に示すように、輝度変化制御部として、光源制御部３８８を採用している点で異なる。
【００４８】
光源制御部３８８は、切替画像表示部３８２による表示画像から切替画像への切り替え、及び表示画像復帰部による切替画像から表示画像への復帰のときに、光源駆動部３４２を介して光源ランプ３６２を制御することにより、変化時間設定部３８５により設定される変化時間に基づいて連続的に切替画像の輝度を変化させる。
【００４９】
このような本実施形態においても、前記第１実施形態の（１）、（２）、及び（４）と同様の作用、効果を得ることができる他、以下の作用、効果を奏することができる。
すなわち、切替画像の画像データを変更することがないので、制御手段３８にかかる演算負荷を軽減することができる。
【００５０】
〔第３実施形態〕
本発明の第３実施形態に係るプロジェクタ１Ｂについて説明する。
前記第１実施形態に係るプロジェクタ１では、輝度変化制御部として、光変調装置制御部３８７を採用していた。
これに対して、本実施形態に係るプロジェクタ１Ｂでは、図１１に示すように、画像投射手段３６は、光量調整手段３７７を備え、図１２に示すように、輝度変化制御部として、光量調整手段制御部３８９を採用している点で異なる。また、駆動制御手段３４は、光量調整手段３７７を駆動する光量調整手段駆動部３４３を備えている点で異なる。
【００５１】
光量調整手段３７７は、図１１に示すように、二枚のレンズアレイ３６４Ａ，３６４Ｂの光路間に配置され、二枚のレンズアレイ３６４Ａ，３６４Ｂを通過する光の光路を閉塞して減光を行うものであり、一対の遮光板３７８Ａ，３７８Ｂと、回動機構３７９とを備える。
一対の遮光板３７８Ａ，３７８Ｂは、一端が回動自在に軸支され、開放時には二枚のレンズアレイ３６４Ａ，３６４Ｂを通過する光の光路を挟んで対向配置されている。
回動機構３７９は、遮光板３７８Ａ，３７８Ｂを軸支する回動軸３７９Ａ，３７９Ｂと、歯車などの伝導機構を介して回動軸３７９Ａ，３７９Ｂに接続される図示しないステッピングモータとを備える。
【００５２】
遮光板３７８Ａ，３７８Ｂは、回動軸３７９Ａ，３７９Ｂに接続される図示しないステッピングモータにより、図１１中矢印Ａ、及び矢印Ｂの方向に回動される。すなわち、遮光板３７８Ａ，３７８Ｂが二枚のレンズアレイ３６４Ａ、３６４Ｂと略平行に回動された場合には、光源部３６１から射出される光は遮光板３７８Ａ，３７８Ｂにより減光され、切替画像設定メニューＭにおいて、輝度を０％とした状態となる。一方、遮光板３７８Ａ，３７８Ｂが二枚のレンズアレイ３６４Ａ、３６４Ｂと略垂直に回動された場合には、光源部３６１から射出される光は遮光板３７８Ａ，３７８Ｂにより減光されることなく、切替画像設定メニューＭにおいて、輝度を１００％とした状態となる。
【００５３】
光量調整手段制御部３８９は、図１２に示すように、切替画像表示部３８２による表示画像から切替画像への切り替え、及び表示画像復帰部による切替画像から表示画像への復帰のときに、光量調整手段駆動部３４３を介して光量調整手段３７７を制御することにより、変化時間設定部３８５により設定される変化時間に基づいて連続的に切替画像の輝度を変化させる。
【００５４】
このような本実施形態においても、前記第１実施形態の（１）、（２）、及び（４）と同様の作用、効果を得ることができる他、以下の作用、効果を奏することができる。
すなわち、遮光板３７８Ａ，３７８Ｂと、図示しないステッピングモータとを備えた高速応答性の高い光量調整手段３７７を設けることにより、前記各実施形態における輝度変化制御部と比較して高速に輝度を変化させることができる。
〔第４実施形態〕
本発明の第４実施形態に係るプロジェクタ１Ｃについて説明する。
前記第１実施形態に係るプロジェクタ１では、状態検出部として画像情報監視部３８１を採用していた。
これに対して、本実施形態に係るプロジェクタ１Ｃでは、図１３に示すように、状態検出部としてＤＶＤ用操作信号監視部３９０を採用している点で異なる。
【００５５】
ＤＶＤ用操作信号監視部３９０は、表示画像の一時停止または復帰の状態を、操作信号検出手段３１により出力されるＤＶＤ用操作信号を監視することにより検出する。すなわち、操作信号検出手段３１によりＤＶＤ再生手段３２の一時停止に係るＤＶＤ用操作信号が出力された場合、ＤＶＤ再生手段３２による再生の一時停止を検出する。また、操作信号検出手段３１によりＤＶＤ再生手段３２の再生に係るＤＶＤ用操作信号が出力された場合、ＤＶＤ再生手段３２による再生の復帰を検出する。
【００５６】
このような本実施形態においても、前記第１実施形態と同様の作用、効果を得ることができる他、以下の作用、効果を奏することができる。
すなわち、ＤＶＤ用操作信号監視部３９０は、ＤＶＤ用操作信号を監視することにより表示画像の一時停止または復帰の状態を検出することができるので、状態検出部の構成を簡素化することができる。
【００５７】
〔実施形態の変形〕
なお、本発明は前記実施形態に限定されるものではなく、本発明の目的を達成できる範囲での変形、改良等は本発明に含まれるものである。
例えば、前記各実施形態では、ＤＶＤ再生手段３２は、装置本体３に内蔵されていたが、画像ケーブルなどで外部接続されていてもよく、要するに、プロジェクタ１に画像情報を出力することができればよい。
また、前記各実施形態では、ＤＶＤ再生手段３２は、ＤＶＤを再生するＤＶＤ再生装置であったが、ＨＤＤ（Hard Disk Drive）再生装置などであってもよく、要するに、画像情報を出力するものであればよい。
【００５８】
また、前記第１実施形態から前記第３実施形態では、表示画像の一時停止または復帰の状態を、画像処理手段３３に入力される画像データのフレーム間における差分を監視することにより検出していた。また、前記第４実施形態では、表示画像の一時停止または復帰の状態を、ＤＶＤ用操作信号を監視することにより検出していた。これに対して、例えば、表示画像の一時停止または復帰の状態を、ＤＶＤ再生手段３２から所定の制御信号を受信することにより検出してもよく、要するに、表示画像の一時停止または復帰の状態を検出することができればよい。
【００５９】
また、前記各実施形態では、操作手段にはリモコン４を用いたが、装置本体３の操作パネルを用いてもよく、要するに、プロジェクタの使用者が操作して操作信号を出力することができればよい。
また、前記各実施形態では、輝度変化制御部は、連続的に切替画像の輝度を変化させていたが、段階的に切替画像の輝度を変化させてもよい。
また、前記各実施形態では、切替変化時間、及び復帰変化時間は、互いに同じ時間に設定されていたが、互いに異なる変化時間としてもよい。
【００６０】
また、前記各実施形態では、ＹＣｂＣｒ表色系により輝度、及び表示色を設定していたが、例えば、ＲＧＢ表色系により設定してもよく、要するに、使用者が操作手段により輝度、及び表示色を設定することができればよい。
また、前記各実施形態では、各液晶パネル３７２〜３７４により光源部３６１から射出される光を変調していたが、例えば、ＤＭＤ(Digital Micro mirror Device)、反射型液晶パネル（ＬＣＯＳ：Liquid Crystal on Silicon）により光源から射出される光を変調してもよい。
【図面の簡単な説明】
【００６１】
【図１】本発明の第１実施形態におけるプロジェクタの外観図である。
【図２】同プロジェクタの機能ブロック図である。
【図３】同プロジェクタの画像投射手段の構成を示す図である。
【図４】同プロジェクタの切替画像設定処理を示すフローチャートである。
【図５】同プロジェクタの切替画像設定メニューを示す図である。
【図６】同プロジェクタの動作を示すフローチャートである。
【図７】同プロジェクタにおいてＤＶＤの再生を一時停止した場合における切替画像の輝度の変化を示すグラフである。
【図８】同プロジェクタにおいて変化時間を設定した場合における切替画像の輝度の変化を示すグラフである。
【図９】同プロジェクタにおいてＤＶＤの再生を開始した場合における切替画像の輝度の変化を示すグラフである。
【図１０】本発明の第２実施形態におけるプロジェクタの機能ブロック図である。
【図１１】本発明の第３実施形態におけるプロジェクタの画像投射手段の構成を示す図である。
【図１２】同プロジェクタの機能ブロック図である。
【図１３】本発明の第４実施形態におけるプロジェクタの機能ブロック図である。
【符号の説明】
【００６２】
１，１Ａ，１Ｂ，１Ｃ…プロジェクタ、３…装置本体、４…リモコン、３８…制御手段、３６２…光源ランプ、３７２…赤色光用液晶パネル、３７３…緑色光用液晶パネル、３７４…青色光用液晶パネル、３７７…光量調整手段、３８１…画像情報監視部、３８２…切替画像表示部、３８３…表示画像復帰部、３８４…切替画像輝度設定部、３８５…変化時間設定部、３８６…切替画像表示色設定部、３８７…光変調装置制御部、３８８…光源制御部、３８９…光量調整手段制御部、３９０…ＤＶＤ用操作信号監視部。
【図１】
2008109609.tif 000003
【図２】
2008109609.tif 000004
【図３】
2008109609.tif 000005
【図４】
2008109609.tif 000006
【図５】
2008109609.tif 000007
【図６】
2008109609.tif 000008
【図７】
2008109609.tif 000009
【図８】
2008109609.tif 000010
【図９】
2008109609.tif 000011
【図１０】
2008109609.tif 000012
【図１１】
2008109609.tif 000013
【図１２】
2008109609.tif 000014
【図１３】
2008109609.tif 000015